(57)【要約】【課題】  製造が容易で、保守点検が容易に行える空気調和機の室外機を構成する。【解決手段】  室外機の天面パネル２０は、側面パネル２１に嵌合してネジ止めされている。把手２２は矩形の天面パネル２０の対向する短辺２３側にそれぞれ設けられている。把手２２は天面パネル２０の短辺２３をプレス成形して、その縁部２４が室外機の外方へ突出されるように構成されている。把手２２は、その縁部２４が側面パネル２１側へ入り込むように形成されたカーリングであり、縁部２４のうち側面パネルよりも外方へ突出する部分全てに渡って形成されている。この構成によれば、手を掛ける把手を形成するために特別の部材を必要とせず、しかも側面パネル２１を室外機内側へ凹ませる必要もなく、従って室外機の専有体積を減少させることもない。また、カーリング２５が円弧を形成するように縁部２４が丸められているため、手を傷めることなく把持し易くできる。【選択図】      図２
2006308283.tif 000002
【特許請求の範囲】
【請求項１】
冷媒が流通する冷媒回路に設けられたストップバルブ内の流路に、冷媒に運ばれるゴミを捕集するストレーナを設けたことを特徴とする空気調和機。
【請求項２】
ストップバルブ内の流路に流路の径が狭まる凸部を形成し、この凸部近傍にも縮径した縮径部を形成して上記凸部と縮径部との間にストレーナを収容する収容部を設けたことを特徴とする請求項１記載の空気調和機。
【請求項３】
ストップバルブの流路に流路の径が広がる拡大部を形成し、この拡大部に挿入される接続配管の先端と拡大部との間にストレーナを位置させたことを特徴とする空気調和機。
【請求項４】
ストレーナは、冷媒の通過する多数の空間を有する網と、この網の端縁を保持し冷媒の通過しないホルダーとから構成されることを特徴とする請求項１、２、３記載の空気調和機。
【発明の詳細な説明】
【技術分野】
【０００１】
この発明は空気調和機に関し、特に、低コスト化できる空気調和機の構成に関するものである。
【背景技術】
【０００２】
従来例１
従来、空気調和機の室外機の筐体は、底面を除く他の５面を、５枚のパネルにより構成したり、正面と側面のパネルをコ字状に形成したものが知られている。      
【０００３】
従来例２
また、室外機の把手は部品点数を減少させるために、天面パネルの内側に入り込む側面パネル上部を筐体内部側へ凹ませて形成し、把手そのものを別部材として必要としない構成のものが知られている（実開昭６３−７７２４号公報）。
【０００４】
従来例３
室外機内には電気品を集中させた電気品箱があり、特に、パワートランジスタの放熱を確保する必要があり、放熱フィン等が用いられていた。
【０００５】
従来例４
空気調和機に用いられる冷媒を流通させる接続配管には、通常銅管等を用い、銅管同士を接続するために、該銅管を切断するなどの加工がなされる。この際、銅管を削ったカスが生じ、配管中の冷媒に混ざり運ばれると、圧縮機やキャピラリーチューブ等に付着する問題があるため、これを漉し取るために冷媒回路中には特にストレーナが設けられていた。図１５はこの従来のストレーナ１００を示す一部切欠側面図である。
【０００６】
従来例５                                                                  
室外機を傾斜した設置面に設置するための構成には、傾斜に対応して、室外機を支持する４本の脚の長さを予め前後で長短を揃えたものが知られている（特公平２−２６７４３７号公報）。
【０００７】
【特許文献１】実開昭６３−７７２４号公報
【発明の開示】
【発明が解決しようとする課題】
【０００８】
従来例１のものでは、５枚の各パネルにより組み立て構成した場合には部品点数が増え、コストがかかり、またコ字状のものでは、組み立ては容易となるが、保守点検の際に作業性が低下する問題があった。
【０００９】
また、従来例２のものでは、部品点数を減少させることができるが、筐体内部へ凹んだ把手部分は、室外機内部の専有体積を減少させてしまう問題があった。      
【００１０】
また、従来例３のものでは、電気品箱内でのパワートランジスタの絶縁（漏れ電流対策）が必要であり、また、室外に設置される室外機においては水の浸入による絶縁性について特に問題となるものであった。
【００１１】
従来例４のものでは、ストレーナは個別に形成されていたために、結局部品点数が増えてしまう問題があった。
【００１２】
従来例５のものでは、４本の脚の長さは予め決定されているため、実際の設置場所で適切な長短の長さに対応することが困難であり、多数の長短のタイプの脚を予め用意すると、その保管、管理が煩雑になってしまうという問題があった。また、傾斜面での設置以外には利用が困難である。
【００１３】
また、ストレーナの機能を低下させることなく部品点数の少ない空気調和機を提供することを目的とする。
【課題を解決するための手段】
【００１４】
このために、請求項１に係る発明では、電気品箱の側面には放熱フィンが位置する切欠を設け、固定具にはこの切欠の縁に係合する係合手段を形成したことを特徴とする。
【００１５】
また、請求項２に係る発明では、冷媒が流通する冷媒回路に設けられたストップバルブ内の流路に、冷媒に運ばれるゴミを捕集するストレーナを設けたことを特徴とする。
【００１６】
また、請求項３に係る発明では、ストップバルブ内の流路に流路の径が狭まる凸部を形成し、この凸部近傍にも縮径した縮径部を形成して上記凸部と縮径部との間にストレーナを収容する収容部を設けたことを特徴とする。
【００１７】
また、請求項４に係る発明では、ストップバルブの流路に流路の径が広がる拡大部を形成し、この拡大部に挿入される接続配管の先端と拡大部との間にストレーナを位置させたことを特徴とする。
【発明の効果】
【００１８】
本発明は、接続配管の先端と拡大部との間でストレーナを保持するから、接続配管をストップバルブに接続するだけでストレーナを組み付ける作業が完了し、ストレーナをストップバルブに組み込む作業が極めて容易であり、ストレーナを単独に構成する従来のものに比べて製造コストを低減でき、製造作業性も向上する。また、ストップバルブ自体には、ストレーナを組み込んだ後の成形作業が不要である利点も有する。
【発明を実施するための最良の形態】
【００１９】
実施の形態１．
この実施の形態では、特に室外機の筐体について説明する。
図１は室外機の分解斜視図であり、図において１は室外機の筐体であり、正面パネル２、右側面パネル３、左側面パネル４、天面パネル５、背面パネル６からなり、その内部には、底板７に設置された圧縮機８、熱交換器９、送風機（ファンを含む）１０を備え、仕切板１１により、機械室１２と送風機室１３とに区画されている。機械室１２の上部には各構成に係る電気品を集中した電気品箱１４が設置されている。
【００２０】
図１において、正面パネル２、左右側面パネル４、３、背面パネル６を１枚の板金をプレスにより成形してあり、別体の天面パネル５を左右側面パネル４、３にネジ止めするようにしてある。よって筐体１は２ピース構成からなる。図２は図１の筐体１を抽出した拡大図である。１５、１６、１７は、筐体角部に波状に凹凸が生じるように形成され、正面パネル２と左右側面パネル４、３とが、また、右側面パネル３と背面パネル６とがそれぞれ位置を変化させる可動手段としての波状部である。波状部１５〜１７の凹及び凸の本数は２〜３が適当であるが、パネルの厚さや強度により適宜設定すればよい。
【００２１】
以上の構成からなる空気調和器の室外機によれば、各パネルを組み立てる際には部品点数が減少し、その使用時には、各パネル間に継ぎ目の数が激減するため、雨水等の浸入をより防止し易くでき、更に、室外機を保守点検する際には、波状部１５〜１７により、筐体は各パネル自体を取り外すことなく折り返すことにより容易にパネルを剥がすことができ、保守点検が容易となる。
【００２２】
なお図３は、筐体１を、天面パネル５、正面パネル２、左右側面パネル４、３を１ピースとしたものに、背面パネル６を別体で構成した例を表している。１８は波状部１５〜１７と同様の波状部である。さらに、全パネルを全て１ピース構成とし、筐体１を１枚の板金から構成するようにしてもよい。
【００２３】
実施の形態２．
図４空気調和機の室外機を表す一部切欠斜視図であり、図において２０は室外機の天面パネルを示し、側面パネル２１に嵌合してネジ止めされている。２２は把手であり、矩形の天面パネル２０の対向する短辺２３側にそれぞれ設けられている。把手２２は天面パネル２０の短辺２３をプレス成形して、その縁部２４が室外機の外方へ突出されるように構成されている。図５は把手２２の部分断面図であり、２５は縁部２４が側面パネル２１側へ入り込むように形成されたカーリングであり、縁部２４のうち側面パネルよりも外方へ突出する部分全てに渡って形成されている。
【００２４】
以上の構成によれば、手を掛ける把手を形成するために特別の部材を必要とせず、しかも側面パネル２１を室外機内側へ凹ませる必要もなく、従って室外機の専有体積を減少させることもない。また、カーリング２５が円弧を形成するように縁部２４が丸められているため、手を傷めることなく把持し易くできる。
【００２５】
実施の形態３．
図６は図１に示されるような空気調和機の室外機に設置される電気品箱の分解斜視図である。図において電気品箱３０は各電気品を収納し、電気品箱３０の一部を構成する壁面３１に切欠３２を有している。３３は配線基板であり、パワートランジスタ３４を備ている。パワートランジスタ３４には、その熱を放出するためのアルミ製の放熱フィン３５が取り付けてあり、放熱フィン３５とパワートランジスタ３４は共に配線基板３３にネジ止めしてあり、放熱フィン３５は樹脂製の固定具３６により切欠３２に固定されるようにしてある。従って固定具３６により、電気品箱３０の壁面３１に配線基板３３、放熱フィン３５、パワートランジスタ３４が固定される。
【００２６】
固定具３６は放熱フィン３５の外周を包囲する周縁部３７を有し、この周縁部３７に放熱フィン３５が嵌合することにより固定する。固定具はさらに壁面３１の切欠３２を縁取る縁３７に係合するため係合手段３８を備えている。図６のものでは嵌合する手段を備えているが、係合の態様はいかようであってもよい。従ってネジ係合のためのネジ穴を有することによっても実現できる。
【００２７】
以上の構成による電気品箱を備えた室外機では、配線基板３２は樹脂製の固定具３６により電気品箱３０の壁面３１に固定されることになり、配線基板３２の絶縁が確保され、電気品箱３０が導電性の材質であっても差し支えないこととなり、漏れ電流対策が可能となる。さらに係合手段３８が嵌合により行われるため、電気品箱３０内に水が容易には入り込み難くなり絶縁性をより確実にできる。    
【００２８】
実施の形態４．
この実施の形態では、ストレーナを単独で設けずに部品点数を減少させる空気調和機を説明する。まず前提となる図７の空気調和機の暖房時の冷媒回路を説明する。低温低圧のガス冷媒は、圧縮機４０で高温高圧のガス冷媒に圧縮され四方弁４１に導かれる。高温高圧のガス冷媒は室内熱交換器４２へ導かれ、ここでガス冷媒は液化し、この時凝縮熱を室内に放出する。こうして室内に温風を送り暖房する。さらに液化した高圧の冷媒は毛細管４３により、より低温低圧の気液二相冷媒になり、室外熱交換器４４へ導かれる。ここで、戸外の空気から熱を吸収した冷媒は蒸発し低温低圧のガス冷媒となる。その後四方弁４１を通り圧縮機４０へ冷媒を送り込み、暖房循環運転が行われる。
【００２９】
図８は四方弁４１を回転させて流路を変えて逆に冷房時の運転を表す冷媒回路を示している。低温低圧のガス冷媒は、圧縮機４０で高温高圧のガス冷媒に圧縮され四方弁４１に導かれる。高温高圧のガス冷媒は室外熱交換機４４へ導かれ、ここでガス冷媒は液化し、この時凝縮熱を室外に放出する。液化した高圧の冷媒は毛細管４３により低温低圧の気液二相冷媒になり室内熱交換器４２へ導かれる。ここで、室内の空気から熱を吸収し冷媒は蒸発し低温低圧のガス冷媒となる。室内空気から熱を吸収することにより冷房が行われる。その後、四方弁４１を通り圧縮機４０へ冷媒を送り込み冷凍サイクル運転が行われる。
【００３０】
図７、８において４５、４７はストップバルブを示し、室外機に設けられる。空気調和機を実際に設置する場合には、冷媒は室外機内の冷媒回路４６中に封じられており、この冷媒が漏れ出さないようにストップバルブ４５、４７が封止している。
【００３１】
図９は空気調和機の使用時のストップバルブ４５、４７の断面図であり、封鎖時用のバルブは省略してあり、暖房時の冷媒の流れが矢印により示されている。ストップバルブ４５、４７の流路４８を形成する管状部４９には流路４８の径が狭まる凸部５０が形成されている。この凸部５０近傍には管状部４９が縮径した縮径部５１が形成され、凸部５０と縮径部５１とでストレーナ５２を収容する収容部５３が構成される。なお、ストレーナ５２は、管状部４９が未だ縮径成形されない状態で収容部５０に予め収容しておき、その後縮径成形することによりストップバルブ４５、４７中に挿入することができる。但し、ストレーナ５２の収容状態はストレーナが固定され、動かないことが好ましいが、若干ぐらつく程度でもよい。ストレーナ５２は、半円球状で多数の空間を有する金網５８の端縁を環状で冷媒が通過しない（穴がない）ホルダー５７に取り付けたものでよい。
【００３２】
空気調和機を設置する際に冷媒回路を構成する冷媒配管を切断・接続する際に管の切り屑等が生じ、実際の運転中に冷媒中に含有され易い。この場合特に、毛細管４３に切り屑等が入ると詰まりを起こし易い。しかし、上記のような構成からなる空気調和機では、暖房運転をした際に室内熱交換器４２からストップバルブ４５を通過する冷媒中に含まれる切り屑等はストレーナ５２の金網に漉されて冷媒回路４６中を循環することが減少し、特に毛細管４３で詰まりを起こすことも防止できる。しかも、本例では、ストレーナ５２を単独で構成せず、ストップバルブ４５に直接簡易に組み込むため、必要な部品点数が減少し、空気調和機のコストを減少させ、簡易な組み立て工程により実現することが可能となる。
【００３３】
また、ストレーナ５２は、冷媒を通過させないホルダーが金網を保持するようにしているため、流路４８内の冷媒は全て金網を通過し、濾過作用を十分に行うことができる。
【００３４】
なお、冷房運転を行い、冷媒の経路が冷媒回路中で逆になる（図７及び図８参照）りストレーナ５２の金網に捕捉された切り屑等が逆流することが想定される。しかし、逆流した切り屑等は圧縮機４０の液溜４０ａ内に沈殿し滞留するため、逆流した切り屑等が毛細管４３に還流することはない。
【００３５】
図１０はストップバルブ４５、４７を他の構成により実現した例を表し、５４は流路４８の径が広がる拡大部を示し、この拡大部５４には接続配管５５が挿入される。接続配管５５の先端５６と拡大部５４との間にはストレーナ５２のホルダー５７が位置し、ホルダー５７は金網５８を流路４８のほぼ中央に保持している。本例の場合拡大部５４は流路４８の径が広がった部分を意味する。
【００３６】
この例によれば、接続配管５５の先端５６と拡大部５４との間でストレーナ５２を保持するから、接続配管５５をストップバルブ４５、４７に接続するだけでストレーナ５２を組み付ける作業が完了し、ストレーナ５２をストップバルブ４５、４７に組み込む作業が極めて容易であり、ストレーナ５２を単独に構成する従来のものに比べて製造コストを低減でき、製造作業性も向上する。また、ストップバルブ４５、４７自体には、ストレーナ５２を組み込んだ後の成形作業が不要である利点も有する。
【００３７】
図１１はさらに他の構成からなるストップバルブを示し、ストレーナ５２は拡大部５４の内径輪郭に相似の輪郭を有するフレア５２ａを有し、ホルダーを使用していない。このフレア５２ａが接続配管５５の先端５６と拡大部５４との間に位置している。但し、フレア５２ａの接続配管５５側にはストレーナ５２を押さえるためのリング５９を設けてある。リング５９の材質は冷媒に化学反応しない材質であれば何でもよい。また、接続配管５５とストップバルブ４５、４７との境界部にはロー付け６０が施され、両者の接続状態をより強固としてある。この例によれば、上記の例と同様に簡易にストレーナ５２をストップバルブ４５、４７に組み込むことができる。
【００３８】
実施の形態５．
本例は空気調和機の室外機を載置する脚の斜視図を表し、特に、室外機を吊り下げ、平面への設置、傾斜面への設置等を可能とする多用途の脚である。
図１２は平面への設置状態のための外観斜視図であり、図において６０はＬ字状の枠部材を矩形に組み合わせた基部であり、各角部にはＬ字状の脚体６１をネジ止めにより接続してある。基部６０の矩形の平行する２本の短辺にはそれぞれ長穴の上辺に凹部６２を複数形成した調節部６３が平行に設けられている。脚体６１には一定間隔をおいてネジ穴６９を長手方向に多数、Ｌ字状の２面それぞれで並ぶように穿設してある。脚体６１には前脚体６１ａと後脚体６１ｂとがあり、後脚体６１ｂにはネジ穴を有する補強部６４が前脚体６１ａ側に構成されている。その他６５は連結具、６６は防振用ゴムであり、脚体６１にネジにより着脱可能に取付られている。
【００３９】
図１３は、本例に係る脚が、傾斜面に用いられる場合に取られる形態を示す外観斜視図であり、図１２に示した脚を別に組み替えたものである。前脚体６１ａは一旦基部６０から外されＬ字が外側を向くようにして再度基部６０へ固定される（この際一旦、仮り止めをし、傾斜角度が決定された後本固定すればよい）。連結具６５を一旦基部６０から取り外し、連結具６５の先端の凸部６５ａを調節部６３の凹部へ挿入し、他端６５ｂを前脚体６１ａの下端側のネジ穴６９の適宜位置とネジにより連結する。前脚体６１ａの傾斜角度は、複数の凹部６２へ凸部６５ａを試し挿入することにより最適の状態を見いだすことができる。前脚体６１ａの傾斜角度が決定したら、ネジ６７を本固定すればよい。前脚体６１ａは左右に２組あるが両方共同様に組み付ければよい。なお、図１３の脚では、後脚体６１ｂは不要となる。図１３の脚では、基部６０の短辺、連結具６５、前脚体６１ａとが３角形を形成しているため、室外機の固定のための強度は容易に得られる。なお、防振用ゴム６６も一旦各脚体から外され、再度脚体のＬ字面の適宜位置にネジ固定される。
【００４０】
図１４は、室外機を宙づりにする際（例えば集合住宅のベランダ等の壁面に室外機を設置する場合）に、図１２、１３に示した脚を別に組み替えた外観斜視図である。図１４では後脚体６１ｂを付加した点以外は図１３と同様の構成であるので説明は省略する。但し、前脚体６１ａと基部６０の短辺とが構成する角度はこの場合に厳密に規定されない。後脚体６１ｂは補強部６４を連結具６５にネジにより係合７０され、補強部６４の近傍のネジ穴ともネジ係合７０される。そして後脚体６１ｂの上部は吊り具となる。よって、室外機を載置する基部６０は前脚体６１ａ、連結具６５、後脚体６１ｂとにより吊り固定される。
【００４１】
以上のように、本例の脚によれば、基部６０、前脚体６１ａ、後脚体６１ｂ、連結具６５により室外機を平坦面にも傾斜面にも宙づり状態にも設置できるため従来のように各設置状態に応じた脚を個別にそれぞれ製造、保管、管理する必要をなくすことができ、多様な設置状態に対応可能な脚を提供することができる。
【図面の簡単な説明】
【００４２】
【図１】この発明の実施の形態に係る室外機の分解斜視図である。
【図２】この発明の実施の形態に係る室外機筐体の斜視図である。
【図３】この発明の実施の形態に係る室外機筐体の斜視図である。
【図４】この発明の実施の形態に係る室外機筐体の要部斜視図である。
【図５】この発明の実施の形態に係る室外機筐体の要部断面図である。
【図６】この発明の実施の形態に係る電気品箱の分解斜視図である。
【図７】この発明の実施の形態に係る空気調和機の暖房時の冷媒回路図である。
【図８】この発明の実施の形態に係る空気調和機の冷房時の冷媒回路図である。
【図９】この発明の実施の形態に係るストップバルブの断面図である。
【図１０】この発明の実施の形態に係るストップバルブの断面図である。
【図１１】この発明の実施の形態に係るストップバルブの断面図である。
【図１２】この発明の実施の形態に係る室外機の脚の外観斜視図である。
【図１３】この発明の実施の形態に係る室外機の脚の外観斜視図である。
【図１４】この発明の実施の形態に係る室外機の脚の外観斜視図である。
【図１５】従来のストレーナを示す一部切欠側面図である。
【符号の説明】
【００４３】
１は筐体、２は正面パネル、３は右側面パネル、４は左側面パネル、５は天面パネル、６は背面パネル、７は底板、８は圧縮機、９は熱交換器、１０は送風機、１１は仕切板、１２は機械室、１３は送風機室、１４は電気品箱、１５、１６、１７、１８は波状部、２０は天面パネル、２１は側面パネル、２２は把手、２３は短辺、２４は縁部、２５はカーリング、３０は電気品箱、３１は壁面、３２は切欠部、３３は配線基板、３４はパワートランジスタ、３５は放熱フィン、３６は固定具、３７は縁部、３８は嵌合手段、４０は圧縮機、４１は四方弁、４２は室内熱交換器、４３は毛細管、４４は室外熱交換器、４５はストップバルブ、４６は冷媒回路、４７はストップバルブ、４８は流路、４９は管状部、５０は凸部、５１は縮径部、５２はストレーナ、５３は収容部、５４は拡大部、５５は接続配管、５６は先端、５７はホルダー、５８は金網、５９はリング、６０は基部、６１は脚体、６２は凹部、６３は調節部、６４は補強部、６５連結具、６６は防振用ゴム、６７はネジ、６８はネジ、６９はネジ穴である。
【図１】
2006308283.tif 000003
【図２】
2006308283.tif 000004
【図３】
2006308283.tif 000005
【図４】
2006308283.tif 000006
【図５】
2006308283.tif 000007
【図６】
2006308283.tif 000008
【図７】
2006308283.tif 000009
【図８】
2006308283.tif 000010
【図９】
2006308283.tif 000011
【図１０】
2006308283.tif 000012
【図１１】
2006308283.tif 000013
【図１２】
2006308283.tif 000014
【図１３】
2006308283.tif 000015
【図１４】
2006308283.tif 000016
【図１５】
2006308283.tif 000017